(57)【特許請求の範囲】
【請求項１】
第一の画像、第二の画像及び第三の画像が順次積層された印刷画像から成る積層型視覚効果発現構造物であって、
前記第一の画像は、第１の色の第１ａの画線と、前記第１の色と異なる色の第２の色の第１ｂの画線から成る第１の画線が第１の方向に第１のピッチで万線状に配置されて成り、
前記第二の画像は、透明性を有する明暗フリップフロップ性又はカラーフリップフロップ性の少なくともどちらか一方の特性を有する第２の画線が、前記第１の方向に前記第１のピッチで万線状に配置されて成り、
前記第三の画像は、前記第２の画線よりも低い光沢性を有し、基画像を分割及び／又は圧縮した第３の画線が万線状に配置された第３の画線群から成り、
拡散反射光で観察すると前記第一の画像が視認でき、正反射光下において連続的に観察角度を変化させると、前記第三の画像が変化して視認できることを特徴とする積層型視覚効果発現構造物。
【請求項２】
前記印刷画像が基材上の一部に形成され、
前記第１の色が前記基材とは異なる色で形成された場合、前記第１ｂの画線が前記基材を露出させたことで形成されていることを特徴とする請求項１記載の積層型視覚効果発現構造物。
【発明の詳細な説明】
【技術分野】
【０００１】
本発明は、銀行券、諸証券等、高度な偽造防止が要求される印刷物の分野において、観察角度を連続的に変化させることで、視認される画像が異なる画像に変化又は動的効果を奏するに関わるものである。
【背景技術】
【０００２】
銀行券、有価証券等のセキュリティ印刷物には、その価値を保証及び維持するために、偽造防止のための様々な技術が形成されている。これらの偽造防止技術の一つとして、本出願人は、基画像の観察角度を連続的に変化させることで立体的、かつ、動的に視認できる潜像印刷物を出願している。
【０００３】
例えば、基材と異なる色の複数の第１の画線、その上に所定の厚さを有する透明又は半透明の層、更にその上に、第１の画線に対応して第２の画線及び第３の画線が交互に複数配置され、第１の画線において、一部で画線幅又は配置角度を異ならせることで、メッセージを形成し、第２の画線と第３の画線の画線幅又は配列角度を異ならせることで、別のメッセージを形成した画像形成体である（例えば、特許文献１参照）。この画像形成体は、観察角度を変化させることで、第１の画線により形成された有意情報と第２の画線及び第３の画線により形成された有意情報がチェンジして視認可能となる。
【０００４】
また、高い光沢性を有する凸型画線の表面に、凸型画線より低光沢の少なくとも二つの潜像画線（例：低光沢性インキでの隠ぺい、表層の切削、厚みの変更等）を形成し、その潜像画線を凸型画線と同一ピッチで配置することで入射光の角度に応じて潜像画像をスイッチさせる潜像印刷物が開示されている（例えば、特許文献２参照）。
【０００５】
さらに、特許文献２記載の技術の発展型として、基材の上に有色画線を複数配置し、その上に、明暗又はカラーフリップフロップ性を有する凸型画線が複数配置され、さらにその凸型画線群の上に、基画像を分割したフレーム内画像を横方向又は縦方向に特定の縮率で圧縮した画線群を配置したことで、拡散反射光下でも原画像が観察でき、正反射光下では動画的な効果が発現し、観察できる潜像印刷物が開示されている。（例えば、特許文献３参照）。なお、有色画線群は情報画線群の２倍の濃度で構成することが好ましい技術となっている。
【０００６】
以上の特許文献１から特許文献３に記載の技術は、正反射光の入射角度に応じて立体感を有する画像がスムーズに変化することから、アイキャッチ性の高い技術としての展開が見込まれている。
【先行技術文献】
【特許文献】
【０００７】
【特許文献１】特許第４３１４３８７号公報
【特許文献２】特許第４６８２２８３号公報
【特許文献３】特開２０１４−１８０７９５号公報
【発明の概要】
【発明が解決しようとする課題】
【０００８】
特許文献１に記載の技術は、透明層であるスクリーン画線が動画効果を生じさせるものではないため、透明層の上に形成された一つの層を構成している第２の画線及び第３の画線は、メッセージを出現させるだけのものであり、メッセージが動的又はチェンジ効果を奏するものではない。また、画像の変化は、第１の画線により形成されたメッセージと、前述した第２の画線及び第３の画線により形成されたメッセージの２種類の静止画がスイッチする型に限定され、滑らかな動的効果の発現は困難であるという課題を抱えていた。
【０００９】
また、特許文献２及び特許文献３に記載の技術は、動画効果を観察できる光源が正反射光に限定されており、太陽光に代表される正反射光と拡散反射光が共存する条件下では、正反射光に対する拡散反射光の影響が大きく、正反射光単独で観察できる動画効果が減衰してしまうという課題があった。
【００１０】
本発明は、前述した課題の解決を目的とするものであり、立体的、かつ、動的に視認できる画線構成群において、正反射光下のみならず、拡散反射光源下においても全く相関のない別の画像を視認できる積層型視覚効果発現構造物を提供する。
【課題を解決するための手段】
【００１１】
本発明は、第一の画像、第二の画像及び第三の画像が順次積層された印刷画像から成る積層型視覚効果発現構造物であって、第一の画像は、第１の色の第１ａの画線と、第１の色と異なる色の第２の色の第１ｂの画線から成る第１の画線が第１の方向に第１のピッチで万線状に配置されて成り、第二の画像は、透明性を有する明暗フリップフロップ性又はカラーフリップフロップ性の少なくともどちらか一方の特性を有する第２の画線が、第１の方向に第１のピッチで万線状に配置されて成り、第三の画像は、第２の画線よりも低い光沢性を有し、基画像を分割及び／又は圧縮した第３の画線が万線状に配置された第３の画線群から成り、拡散反射光で観察すると第一の画像が視認でき、正反射光下において連続的に観察角度を変化させると、第三の画像が変化して視認できることを特徴とする積層型視覚効果発現構造物である。
【００１２】
本発明の積層型視覚効果発現構造物は、印刷画像が基材上の一部に形成されて、第１の色が基材とは異なる色で形成された場合、第１ｂの画線が基材を露出させたことで形成されていることを特徴とする。
【発明の効果】
【００１３】
本発明の積層型視覚効果発現構造物は、拡散反射光下で視認できた画像と全く相関の無い別の画像が正反射光下において視認でき、さらに、その正反射光下において連続的に観察角度を異ならせていくと、その画像が変化（動く又はチェンジ）して視認することができる。
【図面の簡単な説明】
【００１４】
【図１】本発明の積層型視覚効果発現構造物を示す図である。
【図２】本発明の印刷画像の構成を示す展開図である。
【図３】本発明の印刷画像を構成する各画像の積層関係を示す図である。
【図４】本発明の第一の画像を説明する図である。
【図５】本発明の第二の画像を説明する図である。
【図６】本発明の第三の画像を説明する図である。
【図７】本発明の第三の画像を作成するためのフレーム内画像を示す図である。
【図８】本発明の印刷画像を構成する各画線の積層関係を示す図である。
【図９】本発明の積層型視覚効果発現構造物の効果を説明する図である。
【図１０】本発明の第三の画像の別の態様を示す図である。
【図１１】本発明の第三の画像の別の態様の画線構成を示す図である。
【図１２】本発明の第三の画像を別の態様とした場合の印刷画像を構成する各画線の積層関係を示す図である。
【図１３】本発明の第三の画像を別の態様とした場合の効果を説明する図である。
【図１４】本発明の第三の画像の更に別の態様の画線構成を示す図である。
【図１５】本発明の第三の画像を更に別の態様とした場合の効果を説明する図である。
【発明を実施するための形態】
【００１５】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００１６】
図１に、本発明における積層型視覚効果発現構造物（以下、「構造物」という。）（１）が形成された商品券（Ｇ）を示す。本実施の形態では、構造物（１）が紙基材（２）の一部に形成されている商品券（Ｇ）の例で説明するが、これに限定されるものではない。なお、この基材（２）については、構造物（１）を形成することができれば、紙、プラスチック等を用いることができ、その材質は問わない。また、基材（２）自体をカード等に使われるＰＥＴフィルムを用いて、後述する第一の画像（４）を形成しても良い。図１に示したような、基材（２）上に構造物（１）を形成する場合には、構造物（１）は、基材（２）と異なる色彩を有している必要があるが、基材（２）と異なる色で、かつ、透明以外の色彩であれば何色でも良く、色彩の制約はない。また、基材（２）の大きさについても制限はない。
【００１７】
図２に、本発明の構造物（１）の構成の概要を示す。構造物（１）は、第一の画像（４）、第二の画像（５）、第三の画像（６）が重ね合わさった印刷画像（３）から成る。また、図３に第一の画像（４）、第二の画像（５）、第三の画像（６）の積層順序を示す。図３（ａ）に示すように、第一の画像（４）、第一の画像（４）の上に第二の画像（５）、第二の画像（５）の上に第三の画像（６）が重なる層構造となっている。また、図３（ｂ）は、構造物（１）を基材（２）の上に形成した場合を示している。
【００１８】
まず、第一の画像（４）について説明する。図４は、第一の画像（４）を示す図である。第一の画像（４）は、第１の色の第１ａの画線（７ａ）と第２の色の第１ｂの画線（７ｂ）から成る第１の画線（７）が、第１の方向（Ｓ１）に第１のピッチ（Ｐ１）で万線状に配置された第１の画線群（８）から形成されている。したがって、第一の画像（４）は、第１の画線群（８）の輪郭により、第一の画像（４）の輪郭が形成されていることとなる。なお、本発明では、各々の画像を構成する各画線が複数規則的に配置されている状態を「万線状に配置」という。第１の色と第２の色は異なる色である。
【００１９】
第１の画線（７）を基材（２）上に形成する場合には、公知のオフセット印刷、スクリーン印刷、グラビア印刷、インクジェット印刷等、基材（２）に形成可能な印刷方式であれば、特に限定はない。なお、第一の画像（４）上に第二の画像（５）を形成するため、余り凹凸を有さない方が良いため、オフセット印刷で形成することが好ましい。
【００２０】
第１の画線群（８）は、前述のとおり、第１の色で形成された第１ａの画線（７ａ）と、第１の色とは異なる色の第２の色を有する第１ｂの画線（７ｂ）から成る第１の画線（７）が第１のピッチ（Ｐ１）で万線状に配置されているが、第１ａの画線（７ａ）の画線幅（Ｗ１）及び第１ｂの画線（７ｂ）の画線幅（Ｗ１）は、第１のピッチ（Ｐ１）の１／２の幅となっている。これは、後述する蒲鉾形状を有する第２の画線群（９）のレンズ効果を利用して、観察角度を変化させた際に第一の画像（４）を出現させるため、第１の画線（７）と第１のピッチ（Ｐ１）が等しくなることから、第１ａの画線（７ａ）と第１ｂの画線（７ｂ）の画線幅（Ｗ１）は、第１のピッチ（Ｐ１）の１／２の幅となる。
【００２１】
この第１の画線（７）は、図３（ｂ）に示したように、基材（２）上に構造物（１）を形成する場合、第１ａの画線（７ａ）と第１ｂの画線（７ｂ）のどちらか一方の画線を、基材（２）自体で形成することも可能である。仮に、第１ｂの画線（７ｂ）を、基材（２）を用いて形成することとして説明する。
【００２２】
基材（２）を用いて第１ｂの画線（７ｂ）を形成する場合には、第１ａの画線（７ａ）の第１の色と基材（２）の色は異なる色とする。そうすることで、第１ａの画線（７ａ）は前述のとおり、第１のピッチ（Ｐ１）で万線状に配置されているため、第１ａの画線（７ａ）同士の間は、基材（２）が露出した状態となり、第１ａの画線（７ａ）と基材（２）が異なる色であることから、自ずと、露出されたところが第１ｂの画線（７ｂ）となる。
【００２３】
なお、以降の説明では、図１に示したように、構造物（１）を基材（２）の上に形成した形態として説明する。
【００２４】
次に、第二の画像（５）について説明する。図５は、第二の画像（５）を示す図である。第二の画像（５）は、明暗フリップフロップ性やカラーフリップフロップ性を有し、かつ、透明性を有する蒲鉾状の立体的な第２の画線（９）が第１の方向（Ｓ１）に第１のピッチ（Ｐ１）で万線状に配置された第２の画線群（１０）から成る。なお、透明性を有する理由として、光の透過により前述した第一の画像（４）を観察するためであり、本発明では、透明又は半透明を総称して「透明性を有する」という。
【００２５】
前述したとおり、第１の画線（７）と第２の画線（９）は同じ第１のピッチ（Ｐ１）となっているため、第１ａの画線（７ａ）及び第１ｂの画線（７ｂ）は、それぞれ第１のピッチ（Ｐ１）の１／２の画線幅（Ｗ１）となっている。したがって、第２の画線（９）は、１本１本が第１ａの画線（７ａ）と第１ｂの画線（７ｂ）の上にそれぞれ配置されていることとなる。その各画線の配置関係についての詳細は、後述する。
【００２６】
なお、本発明における「蒲鉾状」とは、蒲鉾型だけでなく、半円形状又は半楕円形状等の半円立方体形状も含まれる。また、「明暗フリップ性フロップ性」とは、物質に光が入射した場合に、物質の明度が変化する性質を表わし、「カラーフリップフロップ性」とは、物質に光が入射した場合に、物質の色相が変化する性質を表わす。
【００２７】
以上のような第２の画線（９）を、盛り上がりのあるような蒲鉾状に形成可能な方法により形成する。出現する潜像画像に一定の視認性を確保するためには、第２の画線（９）の盛り上がり高さは３μｍ以上が必要であるため、スクリーン印刷や凹版印刷等で形成することが望ましいが、グラビア印刷やフレキソ印刷、凸版印刷等であってもこの程度の画線の盛り上がり高さを形成することは可能である。また、光を集光するような厚みを有するレンチキュラーレンズのようなレンズを形成しても良い。盛り上がりの高さの上限に関しては、特に制限はないが、大量に積載した場合の安定性や耐摩擦性、流通適性等を考慮して１ｍｍ以下とする。
【００２８】
前述のような盛り上がりを有する第２の画線（９）に明暗フリップフロップ性を付与する方法の一例としては、高光沢なインキ樹脂を用いたり、インキ中に金属顔料を混合したりすることで容易に実現することができる。カラーフリップフロップ性を付与できる機能性材料の一例としては、パール顔料やコレステリック液晶、ガラスフレーク顔料、金属粉顔料や鱗片状金属顔料等が考えられる。ただし、金属粉顔料や鱗片状金属顔料を使用する場合については、配合量により透明性を失ってしまうこととなるため、透明性を失わない程度の配合量とする必要がある。
【００２９】
次に、第三の画像（６）について説明する。図６は、第三の画像（６）を示す図である。第三の画像（６）は、第二の画像（５）よりも低光沢な画線群から成り、第二の画像（５）上での正反射光の光沢により、第三の画像（６）が発現するような画線の構成を有する。この際、正反射光の入射角により第三の画像（６）が動的に変化するものとする。また、拡散反射光下において、第一の画像（４）を視認させるため、光透過性を有する必要がある。
【００３０】
第三の画像（６）は、図６（ａ）に示すように、特定の有意情報を表す基画像（１１）に対して分割及び圧縮の加工を施すことで形成された図６（ｂ）に示した第３の画線群（１２）である。なお、図６（ａ）の例では、第３の画線群（１２）は、桜の花びらを表している。この第３の画線群（１２）は、図６（ｃ）に示す拡大図のとおり、複数の第３の画線（１３）が第１の方向（Ｓ１）に万線状に配置されて成る。この第３の画線（１３）は、拡大図のとおり、前述した第２の画線（９）のピッチ（Ｐ１）と同じピッチで第２の画線幅（Ｗ２）を有して形成されている。
【００３１】
この第三の画像は、図７に示すように、基画像（１１）に特定の高さ（Ｈ）と幅（Ｗ２）の大きさのフレーム（１４）を当てはめることで基画像（１１）を分割し、分割された基画像（１１）をそれぞれ取り出して、第１の方向（図中Ｓ１方向）に、特定の圧縮率で特定の幅（Ｗ３）に圧縮した第３の画線（１３）の集合から成る。また、図３の拡大図に示すように、隣り合う第３の画線（１３−１）と第３の画線（１３−２）とは、基画像（１１）に対して、当てはめたフレーム（１４）を、互いに１ピッチだけ第１の方向（Ｓ１）にずらして取り出したものを圧縮するため、わずかながら画像が異なる。各第３の画線（１３−１、１３−２、・・・、１３−ｎ（ｎは３以上の整数））は、第２の画線（９）と等しい第１のピッチ（Ｐ２）で第１の方向（図中Ｓ１方向）に連続して配置することで、第三の画像（６）が形成されて成る。
【００３２】
第３の画線群（１２）を構成するそれぞれの第３の画線（１３）の正反射光下における色彩は、正反射光下における第２の画線（９）の色彩と異なる色彩である必要がある。仮に、正反射光下における第２の画線（９）の色彩が淡い黄色であったとすると、第３の画線（１３）の正反射光下における色彩は、淡い黄色以外の色彩である必要がある。青、赤、緑等の全く別の色相であっても良いし、濃い黄色や、より淡い黄色のように色相は同じで明度が異なる色彩であっても良い。
【００３３】
これは、正反射光下で第三の画像（６）を可視化させるための必須事項である。正反射光下で出現する第三の画像（６）は、第２の画線（９）と第３の画線（１３）の正反射光下における相対的な色差によってその視認性がほぼ決定されることから、この色差が大きく異なれば異なるほど正反射光下で出現する第三の画像（６）の視認性が高まるため、第２の画線（９）と第３の画線（１３）の正反射光下の色彩を可能な限り異ならせることが望ましい。また、第３の画線（１３）の視認性を高めるためには、前述したとおり、第２の画線（９）と比較して反射率が低いことが望ましい。このため、第３の画線群（１２）を印刷によって形成する場合には、第２の画線（９）より反射率の低いマットなインキで形成することが望ましい。また、通常の観察条件において第２の画線（９）上の第３の画線（１３）は不可視であることが望ましいため、物体色を有さない透明や半透明であることが望ましい。
【００３４】
この第３の画線群（１２）は、インテグラルフォトグラフィ方式の立体画像の形成方法を利用した動画効果を生じさせることができる。なお、このような効果が生じる原理や効果的な構成、条件等については特許第５２００２８４号公報に記載のとおりであり、特許第５２００２８４号公報に記載の画線、画素構成を本発明の構造物（１）の構成に応用することができる。
【００３５】
以上、説明してきた第１の画線（７）、第２の画線（９）及び第３の画線（１３）の積層構造について、図８に示す。
【００３６】
図８に示すように、基材（２）上に、まず、第１の画線幅（Ｗ１）の第１ａの画線（７ａ）と同じ第１の画線幅（Ｗ１）の第１ｂの画線（７ｂ）から成る第１の画線（７）を第１のピッチ（Ｐ１）で第１の方向（Ｓ１）に万線状に配置する。その第１ａの画線（７ａ）と第１ｂの画線（７ｂ）から成る第１の画線群（８）の上に、第２の画線幅（Ｗ２）で蒲鉾形状の第２の画線（９）を第１のピッチ（Ｐ１）で万線状に配置した第２の画線群（１０）を形成する。さらに、その第２の画線群（１０）の上に、第３の画線幅（Ｗ３）の第３の画線（１２）を万線状に配置した第３の画線群（１２）を形成する。
【００３７】
続いて、本発明の構造物（１）の効果について、図９を用いて説明する。図９（ａ）のように、光源（１５）に対して、観察者の視点（１６）が強い反射光が生じない拡散反射光下にある場合、観察者には第一の画像（４）が視認される。また、図９（ｂ）や図９（ｃ）のように、光源（１５）に対して、観察者の視点（１６）が強い反射光が生じる正反射光下にある場合、観察者には、第三の画像（６）である桜の花びらが視認できる。なお、図９（ｂ）では、仮想線（Ｙ−Ｙ’）に対して左側に第三の画像（６）を視認でき、図９（ｃ）では、仮想線（Ｙ−Ｙ’）に対して右側に第三の画像（６）が視認できる。したがって、構造物（１）を傾けたり、入射する光の角度を連続的に変えた場合には、図９（ｂ）の視点から図９（ｃ）の視点までの正反射光領域内において、第三の画像（６）が第１の方向（Ｓ１方向）に動く様子を視認することができる。
【００３８】
以上のとおり、本発明の構造物（１）は、拡散反射光下における視認画像と、その画像とは異なる画像が、正反射光下において連続的に視認角度を変化させると動的に視認できる効果を有している。
【００３９】
第三の画像（６）について、基画像（１１）を分割したフレーム内画像を所定の縮率で圧縮して形成した第３の画線群（１２）を用いた態様を説明したところであるが、この第三の画像（６）は、これに限定されるものではない。そこで、第三の画像（６）の別の態様を以下説明する。なお、第一の画像（４）については、前述で説明した構成と同様のため、説明は省略する。あわせて、第二の画像（５）についても、同様の構成のところについては、詳細説明は省略する。
【００４０】
図１０は、第三の画像（６）の別の態様を説明する展開図である。第三の画像（６）は、二つの画線群から構成されており、拡散反射領域において、観察角度を変化させると、その二つの画像がチェンジして確認できる技術である。
【００４１】
図１０に示すように、第三の画像（６）は、複数の第３の画線（１３）が万線状に配置された第３の画線群（１２）から成る。第３の画線群（１２）は、正反射時に出現する潜像の基となる、複数の有意情報を含んで成る。本実施の形態の例では、第一の有意情報（１７）であるアルファベトの「Ａ」の文字と、第二の有意情報（１８）であるアルファベットの「Ｂ」の文字の二つの有意情報を含んでいる。
【００４２】
第一の有意情報（１７）は、図１１（ｂ）に示す第３ａの画線群（１２ａ）によって表され、第二の有意情報（１８）は、図１１（ｃ）に示す第３ｂの画線群（１２ｂ）によって表される。すなわち、図１１（ｂ）において、第３ａの潜像画線（１３ａ）の各々は、潜像画像の基となる基画像「Ａ」の文字を分割した画線に対応しており、図１１（ｃ）において、第３ｂの画線（１３ｂ）の各々は、潜像画像の基となる基画像「Ｂ」の文字を分割した画線に対応したものとなっている。
【００４３】
第３ａの画線群（１２ａ）は、第３’の画線幅（Ｗ３’）の第３ａの画線（１３ａ）が、第２の画線群（１０）と同じ第１の方向（Ｓ１方向）に、同じ第１のピッチ（Ｐ１）で、万線状に配置されて成り、第３ｂの画線群（１２ｂ）は、第３’’の画線幅（Ｗ３’’）の第３ｂの画線（１３ｂ）が、第２の画線群（１０）と同じ第１の方向（Ｓ１方向）に、同じ第１のピッチ（Ｐ１）で、万線状に配置されて成る。第３ａの画線（１３ａ）の第３’の画線幅（Ｗ３’）は、すべて同じであり、第３ｂの画線（１３ｂ）の第３’’の画線幅（Ｗ３’’）もすべて同じである必要があるが、第３ａの画線（１３ａ）の画線幅（Ｗ３’）と第３ｂの画線（１３ｂ）の画線幅（Ｗ３’’）の値は、同じであっても良いし、異なっていても良い。
【００４４】
ここで、それぞれの第３ａの画線（１３ａ）と第３ｂの画線（１３ｂ）の位置関係について説明する。第３ａの画線（１３ａ）と第３ｂの画線（１３ｂ）は重なりあってはならない。具体的には第３ａの画線（１３ａ）と第３ｂの画線（１３ｂ）は、第１の方向（Ｓ１）に位相がずれている必要がある。図１０（ａ）は、その一例として、ピッチの半分にあたるＰ１の２分の１ずれて配置された状態を示している。仮に、第３ａの画線（１３ａ）と第３ｂの画線（１３ｂ）が重なり合って配置された場合には、正反射光下の特定の観察角度において、第一の有意情報（１７）と第二の有意情報（１８）重なり合った不明瞭な画像が出現するため、そのような構成は避けなければならない。
【００４５】
以上、説明してきた第１の画線（７）、第２の画線（９）及び第３の画線（１３）の積層構造について、図１２に示す。
【００４６】
図１２に示すように、基材（２）上に、まず、第１の画線幅（Ｗ１）の第１ａの画線（７ａ）と同じ第１の画線幅（Ｗ１）の第１ｂの画線（７ｂ）から成る第１の画線（７）を第１のピッチ（Ｐ１）で第１の方向（Ｓ１）に万線状に配置した第１の画線群（８）を形成する。その第１ａの画線（７ａ）と第１ｂの画線（７ｂ）から成る第１の画線群（８）の上に、第２の画線幅（Ｗ２）の蒲鉾形状の第２の画線（９）を第２のピッチ（Ｐ１）で万線状に配置した第２の画線群（１０）を形成する。さらに、その第２の画線群（１０）の上に、第３’の画線幅（Ｗ３’）の第３ａの画線（１３ａ）と第３’’の画線幅（Ｗ３’’）の第３ｂの画線（１３ｂ）を万線状に配置した第３の画線群（１２）を形成する。
【００４７】
続いて、本発明の構造物（１）の効果について、図１３を用いて説明する。図１３（ａ）のように、光源（１５）に対して、観察者の視点（１６）が強い反射光が生じない拡散反射光下にある場合、観察者には第一の画像（４）が視認される。また、また、図１３（ｂ）や図１３（ｃ）のように、光源（１５）に対して、観察者の視点（１６）が強い反射光が生じる正反射光下にある場合、観察者には、第三の画像（６）が視認されることとなるが、図１３（ｂ）では、第一の有意情報（１７）の「Ａ」が視認でき、図１３（ｃ）では、第二の有意情報（１８）の「Ｂ」が視認できる。したがって、構造物（１）を傾けたり、入射する光の角度を変えた場合には、図１３（ｂ）の視点から図１３（ｃ）の視点までの正反射光領域内において、第三の画像（６）が第一の有意情報（１７）の「Ａ」から第二の有意情報（１８）の「Ｂ」にチェンジして視認することができる。
【００４８】
以上のとおり、本発明の構造物（１）は、拡散反射光下における視認画像と、その画像とは異なる画像が、正反射光下において視認角度を変化させると相関の無い画像にチェンジして視認できる効果を有している。
【００４９】
以上のように、第２の画線（９）の画線表面に重ねられた第３の画線（１３）のうち、入射した光と法線を成した画線表面に存在する第３の画線（１３）のみが色彩の違いによって可視化され、それ以外の表面に存在する第３の画線（１３）は可視化されない効果が生じる。これによって、入射する光の角度の変化に応じて、印刷画像（３）中に視認される画像がチェンジする効果が生じる。以上が、本発明の構造物（１）の画像のチェンジ効果が生じる原理である。なお、特許第４６８２２８３号公報や特許第４６６０７７５号公報に記載の画線、画素構成や効果に関しては、本発明の構造物（１）にすべて応用することができる。
【００５０】
第三の画像（６）について、異なる画線群の構成を用いた二つの態様を説明したところであるが、さらに第三の画像（６）の別の態様を以下説明する。なお、第一の画像（４）については、前述で説明した構成と同様のため、説明は省略する。あわせて、第二の画像（５）についても、同様の構成のところについては、詳細説明は省略する。
【００５１】
図１４は、第三の画像（６）の別の態様を説明する展開図である。図１４に示す第三の画像（６）は、モアレ拡大現象を利用して、潜像として拡大モアレの第三の画像（６）が出現し、構造物（１）を傾けることで出現した第三の画像（６）が動いて見える、特殊な動画効果を生させることが可能な第３の画線群（１２）の一形態である。
【００５２】
モアレ拡大現象を利用する第３の画線群（１２）は、蒲鉾形状の第２の画線群（１０）の画線方向と直交する第１の方向（図中Ｓ１方向）に、基画像（１１ａ、１１ｂ）を圧縮した第３の画線（１３）を、第２の画線群（１０）の第２のピッチ（Ｐ２）とわずかに異なる第２のピッチ（Ｐ２）及び第３のピッチ（Ｐ３）で万線状に配置した構成を有する。
【００５３】
図１４の例では、第３の画線群（１２）は、二つの画線群から成り、第３ａの画線群（１２ａ）と、第３ｂの画線群（１２ｂ）から成る。第３ａの画線群（１２ａ）は、第１の基画像（１１ａ）としてアルファベットの「Ｊ」の文字を第１の方向（図中Ｓ１方向）に圧縮して第３の画線幅（Ｗ３）とした第３ａの画線（１３ａ）を、第２の画線群（１０）の第１のピッチ（Ｐ１）よりわずかに小さな第２のピッチ（Ｐ２）で、第１の方向（図中Ｓ１方向）に連続して配置して成る。第３ｂの画線群（１２ｂ）は、第２の基画像（１１ｂ）としてアルファベットの「Ｐ」の文字を第１の方向（図中Ｓ１方向）にミラー反転して圧縮して第３’の画線幅（Ｗ３’）とした第３ｂの画線（１３ｂ）を、第２の画線群（１０）の第１のピッチ（Ｐ１）よりわずかに大きな第３のピッチ（Ｐ３）で、第１の方向（図中Ｓ１方向）に万線状に配置して成る。
【００５４】
図１４に示した第３の画線群（１２）を用いた場合の構造物（１）の効果は、図１５に示すとおりである。図１５（ａ）のように、光源（１５）に対する観察者の視点（１６）が強い反射光が生じない拡散反射光下にある場合、観察者は、印刷画像（３）の中に何も視認できない。しかし、図１５（ｂ）や図１５（ｃ）のように、光源（１５）に対する観察者の視点（１６）が強い反射光が生じる正反射光下にある場合、観察者は、印刷画像（３）の中にアルファベットの「Ｊ」の文字を表す第一の基画像（１１ａ）と、アルファベットの「Ｐ」の文字を表す第二の基画像（１１ｂ）を視認できる。また、図１５（ｂ）や図１５（ｃ）のように、構造物（１）を傾けたり、入射する光の角度を変えた場合には、それぞれの基画像（１１ａ、１１ｂ）が、第１の方向（Ｓ１方向）か、あるいは第１の方向（Ｓ１方向）と逆方向にそれぞれ反対方向に動く様子を視認することができる。
【００５５】
以上のように、本発明の構造物（１）において、第３の画線群（１２）の画線構成を変えるだけで、チェンジ効果とは全く異なるモアレ拡大現象を利用した動画効果を生じさせることができる。なお、このような効果が生じる原理や効果的な構成、条件等については特許第４８４４８９４号公報や特許第５１３１７８９号公報に記載のとおりであり、特許第４８４４８９４号公報や特許第５１３１７８９号公報に記載の画線、画素構成等については本発明の構造物（１）に応用することができる。
【００５６】
なお、前述した三つの態様において、すべての構造や画線に共通する第１のピッチ（Ｐ１）は、０．０１ｍｍ以上５．０ｍｍ以下で形成することが望ましい。０．０１ｍｍ以下のピッチで、蒲鉾形状の第２の画線（９）に２μｍ以上の盛り上がりを形成する場合には、一般的な印刷で再現できる蒲鉾形状の画線のピッチとしては、ほぼ限界のピッチであり、印刷物品質の安定性に欠ける上に、たとえ、０．０１ｍｍ以下のピッチで画線を形成できた場合でも、ほとんどの場合、出現する画像の視認性が極端に低くなるため適当ではない。また、逆に、５.０ｍｍ以上のピッチで形成した場合には、再現できる画像の解像度が極端に低くなってしまうため、適切ではない。
【００５７】
本発明の構造物（１）のように、各画線群を印刷で形成する場合には、比較的高解像度な印刷が可能なオフセット印刷方式やフレキソ印刷方式等が適しているほか、インクジェットプリンターやレーザプリンター等のデジタル印刷機を用いて形成することも可能である。これらのデジタル印刷機を用いる場合には、一枚一枚異なる情報を与える可変情報を容易に付与できるという特徴がある。
【００５８】
なお、本明細書中でいう正反射とは、物質にある入射角度で光が入射した場合に、入射した光の角度と略等しい角度に強い反射光が生じる現象を指し、拡散反射とは、物質にある入射角度で光が入射した場合に、入射した光の角度と異なる角度に弱い反射光が生じる現象を指す。例えば、虹彩色パールインキを例とすると、拡散反射の状態では無色透明に見えるが、正反射した状態では特定の干渉色の強い光を発する。また、正反射光下で観察するとは、印刷物に入射した光の角度と略等しい反射角度に視点をおいて観察する状態を指し、拡散反射光下で観察するとは、印刷物に入射した光の角度と大きく異なる角度で観察する状態を指す。
【００５９】
以下、前述の発明を実施するための形態にしたがって、具体的に作製した本発明の構造物（１）の実施例について詳細に説明するが、本発明は、この実施例に限定されるものではない。
【実施例１】
【００６０】
実施の形態で用いた図１から図９を用いて説明する。図１に、本発明の構造物（１）がけ正された商品券（Ｇ）を示す。構造物（１）は、基材（２）上に、印刷画像（３）を備える。基材（２）は、一般的なコピー用紙（北越紀州製紙社製  再生ＰＰＣ８０）を用いた。印刷画像（３）は、拡散反射光下では灰色に視認される色彩で構成した。
【００６１】
図２に印刷画像（３）の構成、図３に各画像の積層関係の概要を示す。印刷画像（３）は、第一の画像（４）、第二の画像（５）及び第三の画像（６）を重ねて構成した。
【００６２】
まず、第一の画像（４）は、図４に示すように、「５０００」の文字を白抜きとした模様とし、第１の画線（７）のピッチ（Ｐ１）は、８００μｍとして配置するように、レーザプリンター（ＥＰＳＯＮ  Ｏｆｆｉｒｉｏ  ＬＰ−Ｓ７１００）により印刷した。なお、この第１の画線（７）は、第１の色が緑色の第１ａの画線（７ａ）をピッチ４００μｍ、第２の色が橙色の第１ｂの画線（７ｂ）をピッチ４００μｍとして形成したものである。
【００６３】
第一の画像（４）の上に、図５に示す第二の画像（５）を形成した。第二の画像（５）は、図５に示すように、それぞれ直線の複数の蒲鉾形状の第２の画線（９）によって構成した。画線幅は３００μｍ、画線ピッチは４００μｍとした。
【００６４】
以上のような構成の第２の画線（９）を、表１に示すＵＶ乾燥型のスクリーンインキを用いて、スクリーン印刷によって基材（２）に印刷した。表１に示すインキは、拡散反射光下では着色顔料の色である灰色に見え、正反射光下では明度が上昇して白色に見える、優れた明暗フリップフロップ性を備えたインキである。このインキによって形成した蒲鉾状画線（６）の盛り上がり高さは約１５μｍであった。
【００６５】
【表１】
0006381041.tif 000002
【００６６】
最後に、第二の画像（５）の上に、図６に示す第三の画像（６）を形成した。第三の画像（６）は、図６（ａ）に示すように、「桜の花」を基画像とし、分割したフレーム内画像を圧縮して、画線幅３００μｍ、画線ピッチは４００μｍとし、透明なマットニス（Ｔ＆Ｋ  ＴＯＫＡ社製  ＵＶマットＯＰニス３Ｈ）でオフセット印刷した。各画線の積層の位置関係は図８に示すとおりである。
【００６７】
以上の手順で作製した本発明の構造物（１）の効果について説明する。図９に、本発明の効果を示す。印刷画像（３）に強い光が入射しない拡散反射光下においては、図９（ａ）に示すように、第一の画像（４）が視認でき、基材（２）を傾け、強い光が入射する正反射光下においては、図９（ｂ）に示すように、印刷画像（３）全体が白色の反射光を発する中に、「桜の花」の第三の画像（６）が灰色で出現し、そのまま正反射光下において連続的に角度を異ならせたら、図９（ｂ）の状態から図９（ｃ）の状態へ動いているように視認できた。
【符号の説明】
【００６８】
１      積層型視覚効果発現構造物
２      基材
３      印刷画像
４      第一の画像
５      第二の画像
６      第三の画像
７      第１の画線
７ａ    第１ａの画線
７ｂ    第１ｂの画線
８      第１の画線群
９      第２の画線
１０    第２の画線群
１１    基画像
１２    第３の画線群
１３    第３の画線
１４    フレーム
１５    光源
１６    観察者の視点
１７    第一の有意情報
１８    第二の有意情報
【図１】
0006381041.tif 000003
【図２】
0006381041.tif 000004
【図３】
0006381041.tif 000005
【図４】
0006381041.tif 000006
【図５】
0006381041.tif 000007
【図６】
0006381041.tif 000008
【図７】
0006381041.tif 000009
【図８】
0006381041.tif 000010
【図９】
0006381041.tif 000011
【図１０】
0006381041.tif 000012
【図１１】
0006381041.tif 000013
【図１２】
0006381041.tif 000014
【図１３】
0006381041.tif 000015
【図１４】
0006381041.tif 000016
【図１５】
0006381041.tif 000017